(57)【要約】  横たわる患者８を搬送するためのテーブル上部６を有する患者輸送システム。テーブル上部６は、テーブル基部１により支持され、テーブル上部６は、テーブル上部６の少なくとも一部がテーブル基部１から離れた位置に変位可能なようにテーブル基部１にわたり長手方向に移動可能である。テーブル上部６が移動可能に取り付けられるテーブル基部１の少なくとも一部分１，４は、テーブル上部６が動くことのできるその略長手方向に変位可能である。したがって、このテーブル上部６は、テーブル上部６の長さよりも長い距離にわたり長手方向に変位可能である。
2008532611.tif 000002
【特許請求の範囲】
【請求項１】
横たわる患者を搬送するためのテーブル上部を有する患者輸送システムであって、前記テーブル上部は、テーブル基部により支持され、前記テーブル上部は、前記テーブル上部の少なくとも一部が前記テーブル基部から離れた位置へ移動させられることができるように前記テーブル基部にわたり長手方向に移動可能であり、前記テーブル上部が移動可能に付けられる前記テーブル基部の少なくとも一部分は、前記テーブル上部が移動可能な略前記長手方向に変位可能とされる、システム。
【請求項２】
請求項１に記載の患者輸送システムであって、前記テーブル上部は、前記テーブル上部の長さよりも大きな距離にわたり長手方向に変位可能とされる、システム。
【請求項３】
請求項１又は２に記載の患者輸送システムであって、前記テーブル上部は、インターフェース部材により前記テーブル基部の上側に接続され、当該インターフェース部材は、前記テーブル上部の一端の近くに前記テーブル上部の下側に取り付けられ、前記インターフェース部材は、前記テーブル基部の上側に移動可能に取り付けられている、システム。
【請求項４】
請求項１，２又は３に記載の患者輸送システムであって、前記テーブル基部の上側には、当該移動するテーブル上部を支持するための静止支持手段が設けられている、システム。
【請求項５】
請求項１ないし４のうちいずれか１つに記載の患者輸送システムであって、当該移動するテーブル上部を支持するための静止支持手段は、前記テーブル基部から距離を置いて存在する、システム。
【請求項６】
請求項１ないし５のうちいずれか１つに記載の患者輸送システムであって、前記テーブル基部は、床に固定された静止部と略前記長手方向に前記静止部に対して変位可能な可動部とを有する、システム。
【請求項７】
請求項１ないし６のうちいずれか１つに記載の患者輸送システムであって、前記テーブル基部は、前記床に移動可能に付けられ、前記テーブル基部は、前記床に対して略前記長手方向に変位可能である、システム。
【請求項８】
請求項１ないし７のうちいずれか１つに記載の患者輸送システムであって、前記テーブル上部は、前記テーブル基部と取り外し可能に接続されている、システム。
【請求項９】
請求項８に記載の患者輸送システムであって、前記テーブル上部は、インターフェース部材により前記テーブル基部の上側に接続され、このインターフェース部材は、前記テーブル上部の一端の近くに前記テーブル上部の下側に取り外し可能に取り付けられ、前記インターフェース部材は、前記テーブル基部の上側に移動可能に取り付けられている、システム。
【発明の詳細な説明】
【技術分野】
【０００１】
本発明は、横たわる患者を搬送するためのテーブル上部を有する患者受け渡しシステムに関する。
【背景技術】
【０００２】
かかるシステムにより、当該テーブル上部はテーブル基部に支持され、そのテーブル上部が当該テーブル基部にわたり長手方向に移動可能なので、テーブル上部の少なくとも一部を当該テーブル基部から離れた位置に変位させることができる。このテーブル上部は、相当に堅いプレート状部材とすることができ、これにより患者の重量を、当該テーブル上部の一端においてのみ当該テーブル基部により支持されながら搬送することができる。他の実施例においては、堅くないプレート状部材が用いられ、これにより、テーブル上部が当該テーブル上部の長さに沿うより多くの箇所で支持されることができるようにしている。テーブル基部は、テーブル上部の下の支持ユニットであり、この支持ユニットは、患者輸送システムが設置される部屋の床に据え付けられている。一般に、この長手方向におけるテーブル基部の寸法は、テーブル上部の長さよりも小さい。
【０００３】
このような医療用患者輸送システムは、米国特許出願に係る文献のＵＳ−Ａ−２００４／０００１５７１に開示されており、この刊行物は、比較的長い移動可能なテーブル上部を有する医療用救急看護のためのシステムを記述しており、これにより、患者は、電波透過性の患者ボードの上に横たわり、この患者ボードが移動可能なテーブル上部の上に留まる。テーブル上部は、静止したテーブル基部により支持され、これにより、テーブル上部は、テーブル基部にわたるその長手方向において移動可能となる。さらに、このテーブル上部は、垂直方向においてテーブル基部により移動可能である。テーブル上部の長さは、患者の身長の２倍を超えるものであり、テーブル基部の限られた寸法のために、患者は、その患者の身体全部がテーブル基部から離れ、すなわち患者の下にはテーブル基部の部分がないような形でテーブル上部の上に横たわることができる。したがって、患者の身体の全ての部分は、ＣＴスキャナのようなディジタル画像形成システムにより取り巻かれることができるので、テーブル上部に対して患者を変位させることなく身体全部のスキャンを行うことができる。患者の身体全部をスキャンするために、スキャン装置は、テーブル上部上に横たわる患者に対して当該長手方向に床の上を移動可能である。
【０００４】
一般に、患者を搬送するための長いテーブル上部は、不利である。医療用の検査及び治療装置は、しばしば大きな寸法を有し、これら装置を設置する利用可能なスペースは殆どは限定されている。したがって、患者輸送システムの寸法は、出来る限り小さいものとするのが良く、これにより、好ましくは、テーブル上部の長さは患者の身長よりそれほど大きくするべきではない。他方、患者の身体全部がＣＴスキャナなどの医療用検査装置により取り巻かれることができるようにしたその横たわる患者の位置は有利である。
【発明の開示】
【発明が解決しようとする課題】
【０００５】
本発明の目的は、横たわる患者を搬送するテーブル上部を有する改善された患者輸送システムであって、テーブル上部がテーブル基部により移動可能に支持され、テーブル上部が限定した長さを有し、テーブル上部に横たわる患者の身体を、ＣＴスキャナその他の医療用装置により取り巻かれることができる位置に持ち込むことができるようなシステムを提供することである。
【課題を解決するための手段】
【０００６】
この目的を達成するため、テーブル上部が移動可能に取り付けられた当該テーブル基部の少なくとも一部分を、当該テーブル上部が移動可能な概してその長手方向に変位させることができるようにしている。これにより、テーブル上部に横たわる患者を伴うテーブル上部は、所定の距離にわたり結合されるテーブル基部に対して変位可能であり、さらに、テーブル基部を移動することにより、或いはテーブル上部が取り付けられているテーブル基部の部分を移動することにより付加的にテーブル上部を変位させることができる。これにより、患者の全身体が、例えばＣＴスキャナの検査空間において移動可能であり、もって当該ＣＴスキャナが床上に静止して据え付けられる。
【０００７】
本発明は、医療用検査又は治療装置に関連して適用可能である。以下ＣＴスキャナに言及する場合は、本発明の適用例に過ぎないものである。
【０００８】
一好適実施例では、前記テーブル上部は、前記テーブル上部の長さよりも大きな距離にわたり長手方向に変位可能とされ、これとともにテーブル基部に依然として接続されるものである。したがって、テーブル上部は、相互の重なりを有しない２つの位置（すなわち、当該位置のうちの一方におけるテーブル上部と当該他方の位置におけるテーブル上部との間に距離がある）の間で移動可能である。これにより、患者の身体のどの部分も、静止したＣＴスキャナの中に置くことができるとともに、テーブル上部を１つの動作でＣＴスキャナの全くの外側に持ち込むこともできる。
【０００９】
好ましくは、前記テーブル上部は、インターフェース部材により前記テーブル基部の上側に接続され、当該インターフェース部材は、前記テーブル上部の一端の近くに前記テーブル上部の下側に取り付けられ、前記インターフェース部材は、前記テーブル基部の上側に移動可能に取り付けられている。これにより、テーブル上部の最大の変位は、インターフェース部材がテーブル基部の上側略全部にわたり移動することができるときに達成可能であり、これにより、テーブル上部上に横たわる患者を伴うテーブル上部の大部分がテーブル基部から離れて延在することができる。
【００１０】
一好適実施例において、前記テーブル基部の上側には、当該移動するテーブル上部を支持するための静止支持手段が設けられている。これにより、テーブル基部の上側は、テーブル基部にわたるその長手方向のスライド移動の間にテーブル上部を支持し案内するためにローラ又は同様の支持手段を有するようにしてもよい。このような支持手段は、テーブル基部の異なる箇所に設けてもよく、これにより、テーブル上部は、こうした異なる箇所において支持されるので、その位置はより安定し、テーブル基部及びテーブル上部に大きな回転力は掛からない。
【００１１】
好ましくは、当該移動するテーブル上部を支持するための静止支持手段は、前記テーブル基部から距離を置いて存在するのがよく、ＣＴスキャナのような医療用装置がテーブル基部と当該静止した支持手段との間に位置づけられることができるようにしている。これにより、テーブル上部を医療用装置の両側で支持することができるので、その位置はより安定する。
【００１２】
一好適実施例において、前記テーブル基部は、床に固定された静止部と略前記長手方向に前記静止部に対して変位可能な可動部とを有する。この静止部は、患者輸送システムが設置される部屋の床にしっかりと固定可能であるとともに、テーブル基部の可動部の動きは、テーブル上部の移動の経路の長さを増大させる。したがって、テーブル上部を付加的に移動するための手段がテーブル基部の一部となるので、床の上には簡単な固定手段以外の手段を必要としない。
【００１３】
他の好適実施例において、前記テーブル基部は、前記床に移動可能に付けられ、前記テーブル基部は、前記床に対して略前記長手方向に変位可能である。これにより、患者輸送システムが設置される部屋の床の上の案内手段は、テーブル基部を移動するために必要である。他方、テーブル基部自体は、より簡単かつ安定した構造を有することができる。
【００１４】
一好適実施例において、前記テーブル上部は、前記テーブル基部と取り外し可能に接続されるので、例えば、テーブル上部は、トロリにより引き継がれることができる。したがって、患者の運搬並びに治療及び／又は検査の間に同じ患者支持テーブル上部の上に患者が留まることができるので、一方の患者支持テーブルから他の支持テーブルへ患者を動かす必要がない。したがって、好ましくは、テーブル上部はインターフェース部材によりテーブル基部の上側と接続され、このインターフェース部材は、テーブル上部の一方の端部の近くにテーブル上部の下側に取り外し可能に付けられ、また、テーブル基部の上側に移動可能に付けられるのが良い。
【００１５】
以下、本発明を、横たわる患者を搬送するテーブル上部とテーブル上部を支持するためのテーブル基部とを有する患者輸送システムであって、当該テーブル上部が当該テーブル基部にわたり長手方向に移動可能とされるシステムに係る２つの実施例の説明によってさらに明らかなものとする。ここでの参照符号は、当該システムの概略的な描写に過ぎない図を有する図面に対して付されるものである。
【発明を実施するための最良の形態】
【００１６】
図１は、患者輸送システムが設置される部屋の床２における固定位置に据え付けられたテーブル基部１を概略的に示している。このテーブル基部は、静止部３と可動部４とを有する。可動部４は、矢印５によって示されるように、静止部３に対して水平方向に移動可能である。テーブル基部１の上には、水平方向に延びるテーブル上部６があり、テーブル上部６は、中間インターフェース部材７によってテーブル基部１の部分４に接続される。インターフェース部材７は、固定の位置にその端部の近くにテーブル上部６の下側に付けられる。インターフェース部材７の下側は、テーブル基部１の部分４に付けられ、これにより、インターフェース部材７は、レール構造（この図には示されていない）によりテーブル基部１の部分４にわたりスライド可能である。テーブル上部６は、患者８を搬送しており、頑丈である（堅い）ので、テーブル上部６の一端におけるインターフェース部材７は、テーブル上部６及び患者８の適切な支持体を規定する。
【００１７】
さらに、図１は、略円筒状の走査空間１０を有する医療用ＣＴスキャナ９を示している。この走査空間１０の中心に位置付けられる患者８の部分を、ＣＴスキャナ（図２参照）によりスキャンすることができる。  
【００１８】
図２は、患者８がＣＴスキャナ９の円筒状走査空間１０の中に入るよう移動させられることを示している。これにより、テーブル基部１の可動部４は、静止部３に対して（図の）右に変位させられ、さらに、インターフェース部材７は、テーブル基部１の可動部４に対して右に移動させられる。この右への２つの移動（ダブルストローク）により、テーブル上部６は、ＣＴスキャナ９の完全に外側の位置（図１）から、テーブル上部６の各部がＣＴスキャナ９の走査空間１０の中央に位置づけられるところの位置へ移動可能である。したがって、患者８の完全なボディスキャンを、患者８をその患者の支持担体（テーブル上部６）上において変位させることなく行うことができる。
【００１９】
図３及び図４は、患者輸送システムの第２の実施例を概略的に示しており、同様の部分は、第１の実施例を示す図１及び図２におけるものと同じ参照番号により示されている。この第２の実施例によれば、テーブル基部１は、静止部及び可動部を有しないが、テーブル基部１全体は、床２上のレール１１に沿って移動可能である。
【００２０】
第１の実施例におけるものと同様に、インターフェース部材７は、図３に示されるようにテーブル基部１の上側に移動可能に取り付けられる。インターフェース部材７の上側は、固定位置においてテーブル上部６の端部近傍にテーブル上部６の下側に取り付けられる。テーブル上部６は、インターフェース７により支持されるだけでなく、２つのローラ１２によっても支持され、この２つのローラ１２は、テーブル基部１の上側に実装される。２つのローラ１２は、その縦の両方のエッジ近くにおいてテーブル上部６の下側と係合する。
【００２１】
図３において、テーブル上部６全体がＣＴスキャナ９の外側に位置づけられるので、患者８をテーブル上部６上に簡単に位置づけることができる。好適な代替例として、テーブル上部６は、インターフェース部材７に取り外し可能に接続され、トロリにより引き継がれることが可能であり、これは例えば、前述したＵＳ−Ａ−２００４／０００１５７１に説明されているようなものとすることができる。
【００２２】
患者８をＣＴスキャナ９の走査空間１０の中へ移動させるため、テーブル基部１は、床２をわたり右へ移動させれ（図４）、その後にテーブル上部６は、テーブル基部１に対して右に移動させられる。したがって、テーブル上部６の支持は、ＣＴスキャナ９の他の側において支持装置１４の上側に付けられた２つのローラ１３により部分的に引き継がれる。この２つのローラ１３は、２つのローラ１２と同様に、テーブル上部６とその縦のエッジの近くにおいてその下側に係合する。図４に示されるようなテーブル上部６の位置において、インターフェース部材７は、２つのローラ１２の間に位置づけられる。ローラ１２，１３の付加的な支持のために、テーブル上部６は、あまり堅くせず簡単に作ることができる。
【００２３】
上述したような２つの実施例は、本発明による患者輸送システムの例に過ぎず、他にも多数の実施例が可能である。特に、さらに好適な具体的実施例として、説明した第１の実施例による患者輸送システムは、説明した第２の実施例にあるような支持ローラ１２，１３を有してもよい。
【図面の簡単な説明】
【００２４】
【図１】テーブル基部の上にテーブル上部を備えた第１の実施例を示す図。
【図２】ＣＴスキャナにおけるテーブル上部を備えた第１の実施例を示す図。
【図３】テーブル基部の上にテーブル上部を備えた第２の実施例を示す図。
【図４】ＣＴスキャナにおけるテーブル上部を備えた第２の実施例を示す図。
【図１】
2008532611.tif 000003
【図２】
2008532611.tif 000004
【図３】
2008532611.tif 000005
【図４】
2008532611.tif 000006
【国際調査報告】
2008532611.tif 000007
2008532611.tif 000008
2008532611.tif 000009